(57)【要約】【課題】平板状のホーンを用いることで装置全体の小型化、軽量化、及び低コスト化を図ることができ、しかもこのホーンを介して超音波振動子にまで確実に給電を行うことができる超音波発生装置及びこれを用いた肌ケア装置を提供する。【解決手段】超音波振動子１とホーン５を具備する超音波発生装置において、ホーン５は、超音波振動子１を接続する接続面１６ａと超音波発信面１６ｂを逆向きの平板面として有する平板状ホーン１６とし、平板状ホーン１６の接続面１６ａの超音波振動子１を囲む外周部分には、平板状ホーン１６を介して超音波振動子１の一極側に電気的に接続されるホーン側接続端子１１を複数個所で接触させる。【選択図】図１
2008168070.tif 000002
【特許請求の範囲】
【請求項１】
供給される電気的振動を機械的振動に変換して超音波振動を発生させる超音波振動子と、該超音波振動子を接続させる接続面及び目的箇所に向けて超音波を発信させる超音波発信面を有するホーンと、を具備する超音波発生装置であって、ホーンは、接続面と超音波発信面を逆向きの平板面として有する平板状ホーンであり、且つ平板状ホーンの接続面の超音波振動子を囲む外周部分には、平板状ホーンを介して超音波振動子の一極側に電気的に接続されるホーン側接続端子を複数個所で接触させていることを特徴とする超音波発生装置。
【請求項２】
ホーン側接続端子は、ばね構造により平板状ホーンに弾接するものであることを特徴とする請求項１に記載の超音波発生装置。
【請求項３】
ホーン側接続端子は、平板状ホーンに接続される超音波振動子の輪郭に沿う形状であることを特徴とする請求項２に記載の超音波発生装置。
【請求項４】
ホーン側接続端子は、平板状ホーンと弾接する先端側に近づくほど超音波振動子から遠ざかるように形成したアーム状の弾性片を、平板状ホーン側に向けて屈曲させて備えたものであることを特徴とする請求項２又は３に記載の超音波発生装置。
【請求項５】
超音波振動子の他極側に電気的に接続される振動子側接続端子を、ホーン側接続端子に囲まれる内側部分にて複数個所で接触させていることを特徴とする請求項１〜４のいずれか一項に記載の超音波発生装置。
【請求項６】
振動子側接続端子は、超音波振動子のうち振動の小さい部位に接続させていることを特徴とする請求項５に記載の超音波発生装置。
【請求項７】
外側のホーン側接続端子と、内側の振動子側接続端子との間に、接触防止用の絶縁性部材を配していることを特徴とする請求項５又は６に記載の超音波発生装置。
【請求項８】
共にばね構造から成るホーン側接続端子及び振動子側接続端子を装着させる基台部と、基台部と平板状ホーンの距離を、ホーン側接続端子の平板状ホーンに対する接触圧と振動子側接続端子の超音波振動子に対する接触圧を共に適圧に保持する所定距離に保持させる規制部材を具備することを特徴とする請求項５〜７のいずれか一項に記載の超音波発生装置。
【請求項９】
振動子側接続端子が電気的に接続する超音波振動子の他極側の電極を、超音波振動子の輪郭から所定の隙間を空けた内側部分に形成していることを特徴とする請求項５〜８のいずれか一項に記載の超音波発生装置。
【請求項１０】
請求項１〜９のいずれか一項に記載の超音波発生装置を備え、平板状ホーンの超音波発信面を肌接触面として成ることを特徴とする肌ケア装置。
【発明の詳細な説明】
【技術分野】
【０００１】
本発明は、超音波振動子をホーンに接続させて成る超音波発生装置やこれを備えた肌ケア装置に関する。
【背景技術】
【０００２】
従来から、超音波振動子をホーンに接続させて備え、超音波振動子に電気的振動を供給して機械的振動に変換させることで、ホーンを介して超音波振動を外部に発信させる構成の超音波発生装置が知られている。上記構成の超音波発生装置は例えば肌ケア装置に好適に用いられ、ホーンを肌面に押し当てることで、肌面や生体内部に向けて超音波振動を伝達させて所望の美容効果を得るようになっている（特許文献１参照）。
【０００３】
上記従来の超音波発生装置においては、図１１に示すように、超音波振動子１を接続させるホーン５として側周壁６０を有する有底筒状のものを用いており、この側周壁６０にホーン側接続端子１１を接続させることにより、ホーン５を介して超音波振動子１の一極側を制御回路と電気的に接続させていた。また、超音波振動子１の他極側には振動子側接続端子１２を直接接続させており、両接続端子１１，１２により超音波振動子１の両極を制御回路に電気的に接続させている。このような有底筒状のホーン５の広面積を有する側周壁６０にホーン側接続端子１１を接続させるという構成を備えることで、超音波振動子１に確実に給電を行うことができるという利点がある。
【０００４】
しかし、上記有底筒状のホーン５を備える超音波発生装置においては、以下の問題がある。即ち、超音波伝達用のホーン５は通常アルミニウム等の軽金属や軽合金を用いて形成するので、超音波振動を良好に伝達させるための厳しい寸法精度の基で有底筒状の複雑形状に削る作業が困難であるとともに、切削する金属の体積も多くなるためにコスト高の一因になるという問題や、ホーン５が大型化して装置全体の大型化及び高重量化を招くという問題である。
【０００５】
これに対して、上記ホーン５を平板状に形成するといった対策も考えられるが、この場合には、ホーン５を介して超音波振動子１に確実に給電を行うことが困難になる。
【特許文献１】特開２００６−１８１２９２号公報
【発明の開示】
【発明が解決しようとする課題】
【０００６】
本発明は上記問題点に鑑みて発明したものであって、平板状のホーンを用いることで装置全体の小型化、軽量化、及び低コスト化を図ることができ、しかもこのホーンを介して超音波振動子にまで確実に給電を行うことができる超音波発生装置及びこれを用いた肌ケア装置を提供することを課題とするものである。
【課題を解決するための手段】
【０００７】
上記課題を解決するために本発明を、供給される電気的振動を機械的振動に変換して超音波振動を発生させる超音波振動子１と、該超音波振動子１を接続させる接続面１６ａ及び目的箇所に向けて超音波を発信させる超音波発信面１６ｂを有するホーン５と、を具備する超音波発生装置であって、ホーン５は、接続面１６ａと超音波発信面１６ｂを逆向きの平板面として有する平板状ホーン１６であり、且つ平板状ホーン１６の接続面１６ａの超音波振動子１を囲む外周部分には、平板状ホーン１６を介して超音波振動子１の一極側に電気的に接続されるホーン側接続端子１１を複数個所で接触させたものとする。
【０００８】
このような超音波発生装置にあっては、金属材料を用いて平板状ホーン１６を形成する際の作業が容易であるとともに切削する金属の体積も少なくて済み、低コストで提供することが可能になる。また、小型且つ軽量の平板状ホーン１６を用いることで、装置全体の小型化、軽量化を図ることができる。しかも、この平板状ホーン１６には、接続面１６ａの超音波振動子１を囲む外周部分を有効利用してホーン側接続端子１１を複数個所で接触させてあるので、平板状ホーン１６を介して超音波振動子１にまで確実に給電を行うことが可能となっている。
【０００９】
上記構成の超音波発生装置において、ホーン側接続端子１１は、ばね構造により平板状ホーン１６に弾接するものであることが好ましい。このようにすることで、ホーン側接続端子１１の接触圧が大きくなり過ぎることが防止され、しかも安価で構成することが可能となる。
【００１０】
上記ホーン側接続端子１１は、平板状ホーン１６に接続される超音波振動子１の輪郭に沿う形状であることが好ましい。ホーン側接続端子１１が超音波振動子１に接触すると電気的短絡や破損の原因となるが、このようにすることで、少ないスペースを有効利用しながらホーン側接続端子１１を超音波振動子１とは接触しないように配置することが可能となる。
【００１１】
また上記ホーン側接続端子１１は、平板状ホーン１６と弾接する先端側に近づくほど超音波振動子１から遠ざかるように形成したアーム状の弾性片４２を、平板状ホーン１６側に向けて屈曲させて備えたものであることが好ましい。弾性片４２の屈曲のさせ方によっては該弾性片４２の先端側が超音波振動子１に近づく方向に屈曲する場合があるが、このように平板状ホーン１６と弾接する先端側に近づくほど超音波振動子１から遠ざかるように弾性片４２を形成したことで、弾性片４２が超音波振動子１に接触して電気的短絡や破損を生じることが更に確実に防止される。
【００１２】
また、上記構成の超音波発生装置においては、超音波振動子１の他極側に電気的に接続される振動子側接続端子１２を、ホーン側接続端子１１に囲まれる内側部分にて複数個所で接触させていることが好ましい。仮に超音波振動子１の他極側にリード線を半田接続させた場合には、半田の溶解温度で超音波振動子１の機能が破壊される恐れや、半田自身が負荷となって超音波振動子１の不要な発熱を招く恐れがあるが、このような振動子側接続端子１２を介して接続させることで、上記半田接続の問題が解消される。また、ホーン側接続端子１１の内側に振動子側接続端子１２を配した構成とすることで、平板状ホーン１６近傍の少ないスペースを有効利用して電気的接点を形成することができる。
【００１３】
上記振動子側接続端子１２は、超音波振動子１のうち振動の小さい部位に接続させていることが好ましい。このようにすることで、超音波振動子１の振動により接点不良を生じることが防止される。
【００１４】
更に、外側のホーン側接続端子１１と、内側の振動子側接続端子１２との間に、接触防止用の絶縁性部材４８を配していることも好ましい。このようにすることで、両接続端子１１，１２の接触による電気的短絡が防止される。
【００１５】
また、共にばね構造から成るホーン側接続端子１１及び振動子側接続端子１２を装着させる基台部６と、基台部６と平板状ホーン１６の距離を、ホーン側接続端子１１の平板状ホーン１６に対する接触圧と振動子側接続端子１２の超音波振動子１に対する接触圧を共に適圧に保持する所定距離Ｄに保持させる規制部材４９を具備することも好ましい。このようにすることで、両接続端子１１，１２の接触圧を適圧に保持して安定的な給電を実現することが容易となる。
【００１６】
また、振動子側接続端子１２が電気的に接続する超音波振動子１の他極側の電極１３を、超音波振動子１の輪郭から所定の隙間ｄを空けた内側部分に形成していることも好ましい。このようにすることで、ホーン側接続端子１１が超音波振動子１の上記電極１３に接触して短絡や破損を生じることが更に確実に防止される。
【００１７】
そして本発明を、上記構成から成る超音波発生装置を備え、平板状ホーン１６の超音波発信面１６ｂを肌接触面として成る肌ケア装置とすることも好ましい。このようにすることで、装置全体の小型化、軽量化、及び低コスト化を図ることができ、しかも平板状ホーン１６を介して超音波振動子１にまで確実に給電を行うことの可能な肌ケア装置となる。
【発明の効果】
【００１８】
本発明は、板状のホーンを用いることで装置全体の小型化、軽量化、及び低コスト化を図ることができ、しかもこのホーンを介して超音波振動子にまで確実に給電を行うことができる超音波発生装置及びこれを用いた肌ケア装置を提供することができるという効果を奏する。
【発明を実施するための最良の形態】
【００１９】
以下、本発明を添付図面に示す実施形態に基づいて説明する。図１及び図２には、本発明の実施形態における一例の肌ケア装置の全体を示し、図３には肌ケア装置の要部を示している。本例の肌ケア装置は超音波発生装置を用いて構成したものであり、超音波発生装置の超音波発信面１６ｂから発信される超音波振動を肌面に伝達させ、美容効果を得るようになっている。
【００２０】
本例の肌ケア装置（即ちこれを構成する超音波発生装置）は、超音波振動子１を内蔵するヘッドブロック２と、この超音波振動子１に電気的振動を供給して超音波振動を生じさせる制御回路３を内蔵する把持ブロック４とで、主体を構成している。
【００２１】
まず、ヘッドブロック２の基本的な構成について説明する。ヘッドブロック２は、アルミニウム等の金属を用いて円板状に形成したホーン５（以下「平板状ホーン１６」とする）と、この平板状ホーン１６の一方の平板面に接着固定される超音波振動子１と、ヘッドブロック２の底部を成す基台部６と、リング状の防水カバー９とを備えている。上記防水カバー９は、平板状ホーン１６の外周面１７に突設したフランジ状の支持部４５に係合するとともに、基台部６の外側面に突設したフック状の係合部８に係合するものである。上記防水カバー９を介して平板状ホーン１６を基台部６に取付固定することで、平板状ホーン１６が両側に有する一対の平板面のうち超音波振動子１を固定する側の平板面（以下「接続面１６ａ」とする）とは逆側の平板面（以下「超音波発信面１６ｂ」とする）を、図中斜め上方に突出した状態で露出させる。平板状ホーン１６の支持部４５と防水カバー９との間には、Ｏリング１０を介在させてある。
【００２２】
更にヘッドブロック２内には、超音波振動子１に給電を行うためのホーン側接続端子１１及び振動子側接続端子１２が備えてある。ホーン側接続端子１１は平板状ホーン１６の接続面１６ａに弾接されることで、この平板状ホーン１６を介して、超音波振動子１が有する一対の電極１３（図３参照）の一方に対して電気的に接続されるものである。また振動子側接続端子１２は、超音波振動子１が有する一対の電極１３の他方に弾接されることで、該電極１３に対して直接電気的に接続されるものである。両接続端子１１，１２については後に詳述するが、両接続端子１１，１２は共に基台部６に固定され、リード線３０（図４等参照）を介して把持ブロック４内の制御回路３に電気的に接続されている。
【００２３】
次に、把持ブロック４の基本的な構成について説明する。把持ブロック４は、正面側ハウジング１８及び背面側ハウジング１９をねじ固定して成る有底筒状の主ハウジング２０と、この主ハウジング２０の開口部にねじ固定される共に略リング状の支持ベース２１及び頂部カバー２２で、把持ブロック４全体のハウジング２３を構成している。
【００２４】
上記ハウジング２３内には、制御回路３や、操作スイッチ２４や、電源ジャック２５が組み込まれている。操作スイッチ２４は、背面側ハウジング１９に装着されるスイッチカバー２６と、スイッチボス２７と、スイッチ基板２８とで構成している。このスイッチ基板２８や電源ジャック２５は、それぞれリード線（図示せず）を介して制御回路３に電気的に接続させている。
【００２５】
次に、この把持ブロック４に対してヘッドブロック２を移動自在に支持させる支持機構７について説明する。本例にあっては上記支持機構７として、弾性部材であるコイルばね３２を、ヘッドブロック２の底部を成す基台部６と把持ブロック４の頂部を成す頂部カバー２２との間に圧縮状態で介在させている。基台部６の底部は、柱状を成す中央の挿通部３３と、この挿通部３３を囲む周縁部３４と、挿通部と周縁部３４との間にて環状に形成される凹溝部３５とで構成されている。そして上記挿通部３３を頂部カバー２２の中央開口内に挿通させるとともに、頂部カバー２２の内側において挿通部３３の先端に円板状のストッパ３６をねじ固定させている。上記ストッパ３６は、後述の防水カバー４０を介して頂部カバー２２の内面側に当たることでヘッドブロック２の抜け止めを図る部材である。
【００２６】
コイルばね３２の外周にはこれを囲む円筒状の防水部材３７を備えており、防水部材３７を介してコイルばね３２を頂部カバー２２に押し当てている。また、把持ブロック４の頂部カバー２２内面にはシート状の防水カバー４０を配置しており、上記防水部材３７や上記防水カバー４０により、肌ケア時に超音波伝達用媒体として使用するジェル等の液体が把持ブロック４内に侵入することを防止し、回路破壊等を確実に防止している。更に、平板状ホーン１６と防水カバー９との間に介在させたＯリング１０によって、上記ジェル等の液体がヘッドブロック２内に侵入することを防止している。
【００２７】
上記構成の肌ケア装置によれば、操作スイッチ２４を操作して電源をオンにすれば、制御回路３から各接続端子１１，１２を介して超音波振動子１に電気的振動が供給され、超音波振動子１において電気的振動が機械的振動に変換されることで超音波振動を発生させる。そして、把持ブロック４を片手で把持しつつ平板状ホーン１６の超音波発信面１６ｂを肌接触面として用いることで、超音波振動子１から生じる超音波振動を肌面や更に生体内の目的箇所にまで伝達して所望の美容効果を得るものである。
【００２８】
以下、本発明の特徴部分について、更に図４〜図１０等に基づいて詳述する。既述したように、本例の肌ケア装置では、接着固定してある超音波振動子１の超音波振動を伝達して目的箇所に向けて発信するホーン５として、接続面１６ａと超音波発信面１６ｂを互いに逆向きの平板面として有する円板形状の平板状ホーン１６を用いている。超音波振動子１は図４等に示すように、円板状を成す圧電材料１４の両側の平板面を一対の電極１３で挟持して構成したものであり、超音波振動子１の上記一対の電極１３の一方を、導電性の接着剤（図示せず）を介して平板状ホーン１６の接続面１６ａに接着固定させている。
【００２９】
超音波振動子１に給電を行うためのホーン側接続端子１１と振動子側接続端子１２は、振動子側接続端子１２の周囲をホーン側接続端子１１が全周に亘って囲むように、基台部６において平板状ホーン１６の接続面１６ａと対向する側の面（以下「端子保持面６ａ」とする）上に固定される。
【００３０】
まずホーン側接続端子１１について説明する。図３〜図５等に示すように、ホーン側接続端子１１は、リング状を成す連結部４１から外周側に向けて複数本（本例では三本）のアーム状の弾性片４２を、周方向に等間隔を隔てて延設した形状を有する板ばね部材である。連結部４１を基台部６の端子保持面６ａに固定するとともにリード線３０に接続させ、この連結部４１から平板状ホーン１６側に向けて各弾性片４２を屈曲させた状態で組み込むことで、各弾性片４２の先端を平板状ホーン１６に弾接させる（図６（ａ）参照）。
【００３１】
各弾性片４２が接触する部分は、平板状ホーン１６の一方の平板面である接続面１６ａのうち超音波振動子１を囲む外周部分である。平板状ホーン１６の接続面１６ａは超音波振動子１の平板面よりも広面積に形成しているため、接続面１６ａにおいては、中央に接続される超音波振動子１を囲む全周に亘って、ホーン側接続端子１１を接続させるためのスペースが形成されることとなる。超音波振動子１が接続されない上記スペースは、接続面１６ａの輪郭から１ｍｍ〜５ｍｍ程度の幅で形成することが好ましく、且つ上記スペース内において、ホーン側接続端子１１の各弾性片４２先端を超音波振動子１から０．０５ｍｍ以上離れた箇所に弾接させることが好ましい。
【００３２】
ここで、本例にあっては上記板ばね部材を用いてホーン側接続端子１１を構成しているが、図７に示すような他のばね構造によりホーン側接続端子１１を構成してもよい。図７（ａ）に示す変形例は超音波振動子１全体を囲む一つのコイルばね４３によりホーン側接続端子１１を構成した例、図７（ｂ）に示す変形例は超音波振動子１の外側に位置する複数のコイルばね４４を用いてホーン側接続端子１１を構成した例、図７（ｃ）に示す変形例は超音波振動子１の外側に位置する複数のコンタクトピン５０を用いてホーン側接続端子１１を構成した例である。いずれの場合においても、ばね構造を構成するための材料には、軽合金を好んで用いることができ、更に好ましくは銅合金である。
【００３３】
図５等に示すように、ホーン側接続端子１１は、平板状ホーン１６に接続される超音波振動子１の輪郭に沿う形状に設けている。即ち、ホーン側接続端子１１のうち超音波振動子１の外周側に位置して接続面１６ａに接続されることになる各弾性片４２は、超音波振動子１の円形状を成す輪郭に沿うように円弧状に湾曲した全体形状となっている。これにより、少ないスペースを有効利用しながら超音波振動子１とは接触しないようにホーン側接続端子１１を配置している。
【００３４】
更に、各弾性片４２の特に先端側部分は、接続面１６ａと弾接する先端側に近づくほど超音波振動子１から僅かに遠ざかるような先鋭外形としている。ところで、ホーン側接続端子１１は、平坦な板ばねから連結部４１と弾性片４２を一体に切り出し、弾性片４２をその根元部分から平板状ホーン１６側に向くように屈曲させて形成したものである。したがって、作業者の屈曲のさせ方によっては、弾性片４２の先端側が超音波振動子１に近づく方向に屈曲する場合がある。これに対して弾性片４２を上記先鋭形状としたことで、この場合でも弾性片４２が超音波振動子１に接触して電気的短絡や破損を生じることが防止される。
【００３５】
次に、振動子側接続端子１２について説明する。図３〜図５等に示すように、振動子側接続端子１２は、ホーン側接続端子１１よりも小さく且つ略相似な形状を有している。即ち、振動子側接続端子１２の構成はホーン側接続端子１１の上記構成と同様であって、リング状を成す連結部４６から外周側に向けて複数本（本例では三本）のアーム状の弾性片４７を、周方向に等間隔を隔てて延設した形状を有する板ばね部材となっている。連結部４６は、基台部６の端子保持面６ａにおいてホーン側接続端子１１の連結部４１の内側に固定するとともにリード線３０に接続させ、この連結部４６から超音波振動子１側に向けて各弾性片４７を屈曲させた状態で組み込むことで、各弾性片４７の先端を超音波振動子１の電極１３に弾接させる（図６（ｂ）参照）。
【００３６】
この振動子側接続端子１２の各弾性片４７は、振動による接点不良を極力回避するため、超音波振動子１の電極１３を配してある外表面うち振動の小さい部位に接続させている。本例の超音波振動子１は円板状であって、図８に矢印で模式的に示すように中央突出型振幅であるから、中央部分が最も振動振幅の大きな部位となり、中央部分から外周側に近づくほどに振動振幅が小さくなる。したがって、超音波振動子１において最も振動の小さい端部側に弾性片４７の先端を弾接させている。
【００３７】
そして、上記の如く外側にホーン側接続端子１１、内側に振動子側接続端子１２が配される基台部６の端子保持面６ａには、両接続端子１１，１２に挟まれる部分に接触防止用の絶縁性部材４８を配している。この絶縁性部材４８は基台部６と一体に成形される幅１ｍｍ程度のリング状の遮壁部であり、両接続端子１１，１２の接触を確実に防止するようになっている。
【００３８】
なお、両接続端子１１，１２の接触を更に確実に防止するには、ホーン側接続端子１１の弾性片４２の本数と振動子側接続端子１２の弾性片４７の本数を本例の如く一致させたうえで、ホーン側接続端子１１の弾性片４２と振動子側接続端子１２の弾性片４７の間の距離が最大限に設定されるよう、両接続端子１１，１２の周方向の向きをずらして配することも望ましい。
【００３９】
更に、基台部６の端子保持面６ａのホーン側接続端子１１よりも更に外側の部分には、基台部６の端子保持面６ａと平板状ホーン１６の接続面１６ａとの間の距離を所定距離Ｄに保持させるための規制部材４９を配している（図３、図４参照）。この規制部材４９は基台部６に一体に形成される柱状の突部であり、この規制部材４９の先端が接続面１６ａの外周部に当たるまで平板状ホーン１６を接近させて組み込むことで、所定距離Ｄを保持させることができる。
【００４０】
ここでの所定距離Ｄは、ホーン側接続端子１１の各弾性片４２が平板状ホーン１６に接触する際の接触圧と、振動子側接続端子１２の各弾性片４７が超音波振動子１に接触する際の接触圧を、共に適圧に保持するために設定される距離である。ホーン側接続端子１１の弾性片４２と振動子側接続端子１２の弾性片４７の最適な接触圧は共に０．０５〜０．２ｋｇｆ程度であるが、所定距離Ｄを確保し得ない場合には上記の最適な接触圧を共に保持することは困難となり、仮に上記規制部材４９がなく所定距離Ｄより大きな距離となる場合には、図９に示すようにホーン側接続端子１１が平板状ホーン１６にまで到達しない恐れもある。
【００４１】
図１０には、超音波振動子１の変形例を示している。図示の超音波振動子１においては、両側の電極１３のうち振動子側接続端子１２を電気的に接続させる側の電極１３を、超音波振動子１の輪郭から内側に所定の隙間ｄを空けた内側部分に形成している。この隙間ｄは、例えば超音波振動子１が平板状ホーン１６の中心からずれた位置に固着された場合や、ホーン側接続端子１１の弾性片４２が内側に向けて余分に屈曲した場合であっても、ホーン側接続端子１１の弾性片４２と超音波振動子１の上記電極１３とが接触して短絡や破損を生じることを更に確実に防止するためのものである。
【００４２】
この隙間ｄは全周に亘って設けてもよいし、或いはホーン側接続端子１１の弾性片４２の近傍箇所だけ設けてあってもよい。図示例の場合は全周に亘り形成し、電極１３の輪郭が超音波振動子１の輪郭と相似な円形状となるようにしている。この場合、円形状を成す電極１３の輪郭を同じく円形状を成す超音波振動子１の輪郭よりも５〜１０％程度小さな径に形成することが好ましい。
【００４３】
なお、上記構成の超音波発生装置をケア装置以外に用いてもよい。適用する装置としては美容に限らず、診断、加工、接合、洗浄、剤浸透促進、拡散、分散、乳化、霧化等の各種の超音波処理を行うものが想定されるが、その場合であっても同様の効果が得られることは勿論である。
【図面の簡単な説明】
【００４４】
【図１】本発明の実施形態における一例の肌ケア装置の全体を示す側断面図である。
【図２】同上の肌ケア装置の全体を示し、（ａ）は正面図、（ｂ）は背面図である。
【図３】同上の要部分解斜視図である。
【図４】同上の更に要部を側方から見た概略断面図である。
【図５】同上の更に要部を下方から見た概略断面図である。
【図６】同上のばね構造の説明図であり、（ａ）は振動子側接続端子、（ｂ）はホーン側接続端子を示している。
【図７】同上の肌ケア装置の他のばね構造の説明図であり、（ａ）はコイルばね構造、（ｂ）は他のコイルばね構造、（ｃ）はコンタクトピン構造を示している。
【図８】同上の超音波振動子の振動振幅を示す説明図である。
【図９】同上の規制部材を備えない場合の説明図である。
【図１０】同上の超音波振動子の電極の変形例を示す説明図である。
【図１１】従来の肌ケア装置の要部を示す説明図である。
【符号の説明】
【００４５】
１  超音波振動子
５  ホーン
６  基台部
１１  ホーン側接続端子
１２  振動子側接続端子
１３  電極
１６  平板状ホーン
１６ａ  接続面
１６ｂ  超音波発信面
４２  弾性片
４８  絶縁性部材
４９  規制部材
Ｄ  距離
ｄ  隙間
【図１】
2008168070.tif 000003
【図２】
2008168070.tif 000004
【図３】
2008168070.tif 000005
【図４】
2008168070.tif 000006
【図５】
2008168070.tif 000007
【図６】
2008168070.tif 000008
【図７】
2008168070.tif 000009
【図８】
2008168070.tif 000010
【図９】
2008168070.tif 000011
【図１０】
2008168070.tif 000012
【図１１】
2008168070.tif 000013